(57)【要約】【課題】板金と、この板金に固定された配線基板とを有する基板ユニットにおいて、電磁波の放射を抑制することのできる技術を提供する。【解決手段】クロックライン２２を、配線基板２上の板金３と対向する第１面２１ａとは逆の第２面２１ｂに設け、第１面２１ａ上には、クロックライン２２と板金３との間に位置するように、グランド２３ａが設けられる。【選択図】図２
2010171251.tif 000002
【特許請求の範囲】
【請求項１】
板金と、
上記板金に第１面が対向するように固定された基板と、上記第１面に配置されたグランドと、上記基板の第２面に、上記第１面上のグランドと重なるように配置された高周波信号用ラインと、を備える配線基板と、
を備える基板ユニット。
【請求項２】
上記高周波信号用のラインはクロックラインである
請求項１に記載の基板ユニット。
【請求項３】
上記配線基板上に搭載された撮像素子をさらに備える
請求項１又は２に記載の基板ユニット。
【請求項４】
請求項１〜３のいずれか１項に記載の２つ以上の基板ユニットを備えると共に、
或る上記基板ユニットの上記高周波信号用ラインと、他の上記基板ユニットの上記高周波信号用ラインとを接続する第１配線と、
上記或る基板ユニットの上記グラントと、上記他の基板ユニットの上記グランドとを接続する第２配線と、
をさらに備える
配線ユニット。
【請求項５】
上記或る基板ユニットは、上記配線基板上に配置されたクロック源をさらに備え、
上記或る基板ユニットの上記高周波信号用ラインは、上記クロック源に接続されたクロックラインである
請求項４に記載の配線ユニット。
【請求項６】
上記他の基板ユニットは、上記配線基板上に搭載された撮像素子をさらに備え、
上記他の基板ユニットの上記高周波信号用ラインは、上記撮像素子に接続されている
請求項４又は５に記載の配線ユニット。
【発明の詳細な説明】
【技術分野】
【０００１】
本発明は、板金及び基板を備える基板ユニット、並びにこの基板ユニットを備える配線ユニットに関する。
【背景技術】
【０００２】
従来、配線基板上に配線パターンを如何に形成するか、種々の提案がなされている（特許文献１）。
【０００３】
例えば、特許文献１には、光トランシーバが記載されており、この光トランシーバは、
光受信サブアセンブリ（ＲＯＳＡ）と、ＲＯＳＡからの電気信号を処理する受信回路を搭載するプリント基板と、ＲＯＳＡとプリント基板とを接続するフレキシブル基板と、を備えており、フレキシブル基板は、グランド層の設けられた面と信号ラインの設けられた面とを備える。クロストークノイズを低減するために、フレキシブル基板は、グランド層の設けられた面をプリント基板側に向けて配置されている。
【先行技術文献】
【特許文献】
【０００４】
【特許文献１】特開２００７−４３４９６号公報（図６等）
【発明の概要】
【発明が解決しようとする課題】
【０００５】
例えば撮像素子のようなセンサ類は、精確なデータを得るために、その位置が厳密に規定されていることが求められる。よって、熱による配線基板（プリント基板）の反り及び振動による撮像素子の位置のずれを防ぐために、撮像素子を搭載した配線基板は、板金に固定することが好ましい。このように板金に基板を固定した場合、板金から大量の電磁波が放射される。しかしながら、従来の技術では、板金からの電磁波放射については考慮されては居なかった。
【０００６】
本発明は、このような従来技術の問題点に鑑み、板金からの電磁波の放射を抑制することを課題とする。
【課題を解決するための手段】
【０００７】
請求項１の配線ユニットは、上記課題を解決するために、板金と、配線基板と、を備え、配線基板は、上記板金に第１面が対向するように固定された基板と、上記第１面に配置されたグランドと、上記基板の第２面に、上記第１面上のグランドと重なるように配置された高周波信号用ラインと、を備える。
【０００８】
この配線ユニットでは、高周波信号用のラインが、基板の２つの面のうち板金に対向する第１面とは逆の第２面に、第１面上のグランドと重なるように配置されるので、板金よりもグランドにリターン電流が流れやすい。すなわち板金にリターン電流が流れにくいため、板金からの電磁波の放射が抑制される。
【０００９】
また、請求項２に記載するように、請求項１の基板ユニットにおいて、上記高周波信号用のラインはクロックラインであってもよい。
【００１０】
また、請求項３に記載するように、請求項１又は２の基板ユニットにおいて、上記配線基板上に搭載された撮像素子をさらに備えてもよい。
【００１１】
また、請求項４に記載の配線ユニットは、請求項１〜３のいずれか１項の２つ以上の基板ユニットを備えると共に、或る上記基板ユニットの上記高周波信号用ラインと、他の上記基板ユニットの上記高周波信号用ラインとを接続する第１配線と、上記或る基板ユニットの上記グラントと、上記他の基板ユニットの上記グランドとを接続する第２配線と、をさらに備える。
【００１２】
また、請求項５に記載するように、請求項４の配線ユニットにおいて、上記或る基板ユニットは、上記配線基板上に配置されたクロック源をさらに備え、上記或る基板ユニットの上記高周波信号用ラインは、上記クロック源に接続されたクロックラインであってもよい。
【００１３】
また、請求項６に記載するように、請求項４又は５の配線ユニットにおいて、上記他の基板ユニットは、上記配線基板上に搭載された撮像素子をさらに備え、上記他の基板ユニットの上記高周波信号用ラインは、上記撮像素子に接続されていてもよい。
【発明の効果】
【００１４】
本発明の基板ユニットは、板金よりもグランドにリターン電流が流れやすい。すなわち板金にリターン電流が流れにくいため、板金からの電磁波の放射が抑制される。
【図面の簡単な説明】
【００１５】
【図１】本発明の実施の一形態に係る基板ユニット１の要部構成を示す分解斜視図。
【図２】基板ユニット１の要部構成を示す断面図。
【図３】基板ユニット１を組み込んだ複合機１００の外観を示す斜視図。
【図４】複合機１００の内部構成の一部（配線ユニットの一例）を示す斜視図。
【図５】基板ユニット１３の要部構成を示す断面図。
【図６】複合機１００内に形成されるループ電流の流れを模試的に示す図。
【図７】本発明の他の実施形態に係る基板ユニット１４の要部構成を示す断面図。
【図８】本発明のさらに他の実施形態に係る基板ユニット１５の要部構成を示す分解斜視図。
【図９】比較形態に係る基板ユニット５００の断面図。
【図１０】比較形態におけるループ電流の流れを模式的に示す図。
【発明を実施するための形態】
【００１６】
〔１〕第１実施形態
以下、本発明の実施の一形態について、図面を参照して説明する。
【００１７】
（1-1）基板ユニット１
まず、図１を参照して、本実施形態の基板ユニット１の概略構成について説明する。図１は基板ユニット１の要部構成を示す分解斜視図である。
【００１８】
図１に示すように、基板ユニット１は、撮像素子搭載基板２、基板固定板金３、撮像素子４、及びビス５を備える。
【００１９】
撮像素子搭載基板２及び基板固定板金３には、それぞれビス孔２０及び３０が設けられる。ビス５がビス孔２０及び３０に貫通することにより、撮像素子搭載基板２は基板固定板金３に固定される。撮像素子搭載基板２の詳細については後述する。
【００２０】
基板固定板金３は金属の板部材である。撮像素子搭載基板２の搭載面、つまりビス孔３０が設けられた面に垂直な方向の断面においてＬ字形に形成されている。つまり、基板固定板金３は、上記搭載面に垂直な方向に延びる部分をさらに備え、その部分にさらにビス孔３２が設けられている。基板固定板金３は、このビス孔３２を介して、図示しないビスにより、後述の底板６に固定される。
【００２１】
撮像素子４は撮像素子搭載基板２に搭載される。撮像素子４としては、例えばＣＣＤが好適に用いられる。
【００２２】
なお、撮像素子搭載基板２は、撮像素子４以外にも、撮像素子のタイミングジェネレータ、撮像素子の駆動回路、及びアナログフロントエンド等の各種素子を搭載していてもよい。また、撮像素子４以外のこれらの素子は、他の基板上に搭載されてもよい。
【００２３】
次に、図２を参照して、基板ユニット１の構成についてより詳細に説明する。図２は、基板ユニット１の要部構成を示す断面図である。なお、図２では、説明の便宜上、ビス孔２０及び３０、ビス５、並びに撮像素子４については図示を省略する。
【００２４】
図２に示すように、撮像素子搭載基板２は、コア２１、コア２１の第１面２１ａ上に形成された第１パターン層２０１、コア２１の第２面２１ｂ上に形成された第２パターン層２０２、第１パターン層２０１及び第２パターン層２０２のそれぞれを覆うレジスト層２４を備える。図２に示すように、撮像素子搭載基板２は、基板の一例であるコア２１の第１面２１ａが、基板固定板金３に対向するように、上述のビス５によって固定される。
【００２５】
図２に示すように、第１パターン層２０１は、全てグランド２３ａとなっている。このグランド２３ａは、クロックライン２２のグランドである。第２パターン層２０２には、複数のクロックライン２２が形成されている。また、第２パターン層２０２には、クロックラインの他に、グランド２３ｂ、電源ライン、及びその他の配線も形成されている。
【００２６】
このように、クロックライン２２は第１面２１ａには形成されず、第２面２１ｂにのみ形成されている。また、グランド２３ａは、第１面２１ａの略全体に渡って形成される。その結果、第２面２１ｂ上のクロックライン２２は、コア２１を挟んで、第１面２１ａ上のグランド２３ａと重なるように配置される。言い換えると、第１面２１ａ上のグランド２３ａは、クロックライン２２と基板固定板金３との間に配置される。つまり、クロックライン２２と基板固定板金３とを最短距離で結ぶ線分（クロックライン２２から基板固定板金３の表面に垂直に延びる線分）は、グランド２３ａによって遮られる。特に、本実施形態では、図２に示すように、第２面２１ｂ上のクロックライン２２から第１面２１ａ上のグランド２３ａまでの距離Ｌ１と、第２面２１ｂ上のクロックライン２２から基板固定板金３までの距離Ｌ２は、Ｌ１＜Ｌ２となっている。
【００２７】
グランド２３ａがこのように配置されていることによって、クロックライン２２にクロック信号が流れることによるリターン電流が、グランド２３ａ内を流れやすくなる。つまり、リターン電流が基板固定板金３に流れることが防止される。リターン電流については、後に詳述する。
【００２８】
なお、第２面２１ｂには、クロックライン２２以外の配線が形成されていてもよい。
【００２９】
（1-2）複合機１００
基板ユニット１を搭載した複合機１００について、図面を参照して説明する。なお、以下で「上」及び「下」は、複合機通常の設置姿勢における上方向及び下方向をそれぞれ意味する。
【００３０】
まず、複合機１００の概要について、図３を参照して説明する。図３は複合機１００の外観を示す斜視図である。
【００３１】
図３に示すように、複合機１００は、本体部１０１及び原稿搬送装置１０２を備える。原稿搬送装置１０２は本体部１０１の上に配置される。
【００３２】
本体部１０１は、スキャナ１０４、印刷部１０５、用紙カセット１０６、及びプラテンガラス１０７を備える。プラテンガラス１０７は、本体部１０１の上面で、原稿搬送装置１０２と対向する位置に配置され、スキャナ１０４は本体部１０１の上側、つまりプラテンガラス１０７の直下に設けられ、印刷部１０５はスキャナ４の下方に設けられ、用紙カセット１０６はさらに下方、本体部１０１の底部に設けられる。
【００３３】
スキャナ１０４は、上述の基板ユニット１を備えると共に、光源、ミラー、及びレンズ等を備える。光源からの光はミラーによってプラテンガラス１０７へ導かれ、プラテンガラス上の原稿で反射した光は、ミラー及びレンズによって撮像素子４へ導かれる。撮像素子４は、光をアナログの電気信号に変換する。その後、図示しないアナログフロントエンド回路により、アナログ信号がデジタル信号に変換される。このデジタル信号は図示しない画像処理回路を経て、画像データとして印刷又は送信に用いられる。スキャナ１０４は、プラテンガラス１０７上に載置された原稿及び原稿搬送装置１０２によって搬送されプラテンガラス１０７上を通過する原稿の両方から画像を読み取ることができる。
【００３４】
印刷部１０５は、画像データを用紙上に印刷するようになっており、具体的には、電子写真方式又はインクジェット方式を用いた画像形成装置が用いられる。
【００３５】
用紙カセット１０６は、印刷部１０５に供給される用紙を収容する。
【００３６】
原稿搬送装置１０２は、複数のローラ及びこれらのローラを回転させる駆動装置等を備え、回転するローラによって、プラテンガラス１０７上を通過するように原稿を搬送する。
【００３７】
（1-3）複合機１００の内部構成
図４を参照して、複合機１００の内部の構成のうち、基板ユニット１に関連する部分について説明する。図４は、複合機１００の内部構成の一部を示す斜視図である。
【００３８】
図４に示すように、複合機１００は、スキャナ１０４の底面を構成する底板６と、本体部１０１の背面に平行に配置される側板７と、をさらに備える。底板６及び側板７はいずれも金属の板部材である。底板６と側板７とは、隙間Ｇを介して垂直を成すように配置されている。底板６上には、基板ユニット１、特に基板固定板金３が固定される。側板７上にはクロック生成基板８が固定される。板金とそれに固定された配線基板を含む１単位を基板ユニットと考えると、底板６と基板ユニット１とによって新たな基板ユニット１２が構成されると共に、側板７とクロック生成基板８とによって別個の基板ユニット１３が構成されているといえる。
【００３９】
図４に示すように、クロック生成基板８上には、クロック源８１が搭載される。クロック源８１は、クロック信号を生成するクロック生成回路を含む。
【００４０】
複合機１００は、クロック生成基板８と撮像素子搭載基板２とを接続するケーブル９１をさらに備える。
【００４１】
ケーブル９１は配線の一例であり、ケーブル９１中では、撮像素子搭載基板２のクロックライン２２が、クロック生成基板８の後述のクロックライン８２に接続するように延びている。ケーブル９１中にはさらに、クロック生成基板８の後述のグランド８３ａが、撮像素子搭載基板２のグランド２３ａに接続するように延びている。
【００４２】
ケーブル９１内のクロックライン２２とグランド８３aは、できるだけ互いに平行になるように、かつできるだけ短くなるように配置されることが好ましい。例えば、ケーブル９１は、撮像素子搭載基板２とクロック生成基板８との間を最短距離で結ぶように配置されることが好ましい。このように配置されることによって、後述のループ面積が小さくなる。
【００４３】
（1-4）基板ユニット１３
基板ユニット１３、特にそれに含まれるクロック生成基板８について、図５の断面図を参照して説明する。
【００４４】
図５に示すように、クロック生成基板８は、コア８１１、コア８１１の第１面８１１ａ上に形成された第１パターン層８０１、コア８１１の第２面８１１ｂ上に形成された第２パターン層８０２、第１パターン層８０１及び第２パターン層８０２のそれぞれを覆うレジスト層８４を備える。クロック生成基板８は、第１面８１１ａを側板７に向けて固定されている。クロック生成基板８の固定には、撮像素子搭載基板２の固定と同様に、ビスを使用可能である。
【００４５】
第１パターン層８０１は、全てグランド８３ａとなっている。第２パターン層８０２には、クロック源８１に接続されたクロックライン８２が形成されている。また、第２パターン層８０２には、クロックライン８２以外にも、グランド８３ｂ等の他の配線も形成されている。
【００４６】
このように、クロックライン８２は第１面８１１ａには形成されず、第２面８１１ｂにのみ形成されている。また、グランド８３ａは、第１面８１１ａの略全体に渡って形成される。その結果、第２面８１１ｂ上のグランド８３ａは、コア８１１を挟んで、第１面８２ａ上のグランド２３ａと重なるように配置される。言い換えると、第１面８１１ａ上のグランド２３ａは、クロックライン８２と基板固定板金３との間に位置する。つまり、クロックライン８２と側板７とを最短距離で結ぶ線分（クロックライン２３ａから側板７の表面に垂直に延びる線分）は、グランド８３ａによって遮られる。特に、図５に示すように、クロックライン８２からグランド８３ａまでの距離Ｌ８１と、クロックライン８２から側板７までの距離Ｌ８２は、Ｌ８１＜Ｌ８２となっている。
【００４７】
すなわち、クロック生成基板８におけるクロックライン８２及びグランド８３ａの配置は、撮像素子搭載基板２におけるクロックライン２２及びグランド２３ａの配置と略同様となっている。グランド８３ａがこのように配置されていることによって、クロックライン８２にクロック信号が流れることによるリターン電流がグランド８３ａ内を流れやすくなり、リターン電流が側板７に流れるのを防止することができる。リターン電流については、後に詳述する。
【００４８】
（1-5）ループ電流
図６を参照して、複合機１００内に流れるループ電流について説明する。図６は、複合機１００内に形成されるループ電流の流れを模式的に示す図面である。図６は模式的な図面なので、基板固定板金３、底板６、及び側板７等の各部材の向き及び配置は、説明の便宜上、実際のものから変更されている。
【００４９】
図６に点線矢印で示すように、クロック生成基板８で生成されたクロック信号は、クロック生成基板８のクロックライン８２、及びケーブル９１を通って、撮像素子搭載基板２に伝達される。
【００５０】
図６に点線矢印で示すように、撮像素子搭載基板２内では、上述の通り、クロックライン２２でクロック信号が伝達されることにより発生したリターン電流が、グランド２３ａ内を流れる。そして、このリターン電流は、ケーブル９１を通ってクロック生成基板８に伝達される。このリターン電流はクロック生成基板８内のグランド８３ａを流れる。
【００５１】
このようにして、図６に点線矢印で示すように、２つの基板ユニット１２と１３との間にループ電流が流れる。つまり、クロックライン８２、ケーブル９１、クロックライン２２、グランド２３ａ、及びグランド８３ａによって、ループアンテナが形成される。
【００５２】
しかし、リターン電流がグランド２３ａ及び８３ａ内を通り、板金３、６、及び７を通らないので、ループ面積（図６中の点線矢印で囲まれた面積）は、小さく抑えられる。よって、電磁波の放射量も低減される。
【００５３】
なお、撮像素子搭載基板２及びクロック生成基板８のようにクロックラインを全て配線基板の片面に配置した場合、クロックラインの配線にバイアホールを使用しないことになる。基板の両面にクロックラインを設ける場合、基板にバイアホールを設けて、このバイアホールにクロックラインを通すことになる。しかし、このようにクロックラインをバイアホールに通すことは、電磁波放射を増大させることがある。よって、この観点からも、本実施形態の構成は好ましい。配線基板において、クロックラインが配置される面で信号線の交差が発生する場合には、ジャンパ抵抗を使用することにより、片面での配線を可能としている。
【００５４】
〔２〕他の実施形態
（2-1）第１実施形態では、基板ユニットの例として、基板ユニット１、１２、及びオ１３を挙げた。すなわち、基板固定板金３、底板６、及び側板７は板金の例であり、撮像素子搭載基板２、及びクロック生成基板８は配線基板の例である。
【００５５】
ただし、基板ユニットは、板金とそれに固定された配線基板とを備えていればよく、それ以外の構成については限定されない。例えば、基板ユニットでは、２以上の配線基板が１の板金上に固定されていてもよいし、複数（例えば３以上）の板金が組合せられていてもよい。また、板金と配線基板以外にさらに他の構成を備えていてもよいし、板金への配線基板の固定方法も特に限定されるものではない。
【００５６】
（2-2）クロックライン２２及び８２は、配線基板上に設けられる高周波信号用のラインの一例に過ぎない。高周波信号用ラインとは、高周波数の信号を伝達する配線である。「高周波数」とは、信号の周波数の下限が例えば１ＭＨｚ以上、又は数ＭＨｚ以上、より具体的には５ＭＨｚ以上、さらに具体的には１０ＭＨｚ以上である場合に用いられる用語である。
【００５７】
高周波信号用ラインが、配線基板上で、板金に対向する第１面とは逆の第２面に形成され、かつ第１面のグランドと重なるように配置されることによって、高周波信号用ラインと板金との間にグランドが配置されるので、リターン電流がグランド内を流れやすくなり、板金内には流れにくくなる。
【００５８】
なお、１の配線基板において、高周波信号用ラインとしてクロックライン及び他の高周波信号用ラインの両方が含まれていてもよい。
【００５９】
なお、１つの配線基板中の全ての高周波信号用ラインが第２面に形成され、かつ全ての高周波信号用ラインがグランドと重なるように配置されていれば、電磁波放射の抑制効果は高い。しかし、高周波信号用ラインの一部のみが第２面でグランドと重なるような配置になっている場合も、電磁波放射の抑制効果は期待できる。つまり、高周波信号用ラインの一部が第１面に形成されていたり、第２面に形成された高周波信号用ラインの一部が、グランドからずれて（グランドと重ならないように）形成されていたりすることは、許容される。１の配線基板中の高周波信号用ラインのうち、上記配置になっている割合は、５０％以上が好ましく、７０％以上がより好ましく、８０％以上がさらに好ましく、９０％以上がさらに好ましく、９５％以上が特に好ましい。
【００６０】
（2-3）グランドは、第２面上のクロックラインを第１面上で覆う程度、より好ましくは、第２面上のクロックラインの周辺も覆うように配置されていることが、板金内をリターン電流が流れることを防止するためには好ましい。
【００６１】
第１実施形態では、グランド２３ａ及び８３ａが、第１面２１ａ及び８１１ａ上の配線パターンが形成されうる領域の全体を覆っている。このように、グランドが第１面を広く覆うことで、リターン電流が板金を流れることを効果的に防止できる。
【００６２】
ただし、グランドは、第１面のパターン形成領域の一部にのみ形成されていてもよい。
【００６３】
（2-4）また、基板の第１面には、グランド以外の配線が設けられてもよい。その配線としては、電源ライン及び低周波信号用ラインが挙げられる。低周波信号用ラインとは、低周波数の信号を伝達する配線である。低周波数とは、信号の周波数の上限が例えば１ＭＨｚ未満、又は数百ｋＨｚ以下であるときに用いられる用語である。
【００６４】
例えば、撮像素子の水平同期信号は、数百ｋＨｚ程度の周波数であり、低周波信号であるといえる。水平同期信号は、垂直同期信号及びクロック信号と共に、図示しないタイミングジェネレータにおける撮像素子駆動信号の生成に用いられる。
【００６５】
図７に具体的な形態を示す。図７に示すように、本形態の基板ユニット１４は、撮像素子搭載基板２に代えて配線基板２００を備える以外は、第１実施形態の撮像素子搭載基板２と同様の構成である。よって、既に説明した部材と同様の機能を有する部材については、同符号を付してその説明を省略する。
【００６６】
図７に示すように、配線基板２００は、第１面２１ａ上に電源ライン２３１及び低周波信号用ライン２３２が形成されている以外は、撮像素子搭載基板２と同様の構成である。配線基板２００では、第１実施形態の撮像素子搭載基板２と同様に、第２面２１ｂのクロックライン２２は、第１面２１ａのグランド２３ａと重なるように配置される。図７に示すように、グランド２３ａは、クロックライン２２及びその周辺の領域と重なるように設けられることが好ましい。つまり、クロックライン２２よりも広く設けられることで、リターン電流が基板固定板金３に流れることをより効果的に防止できる。
【００６７】
なお、電源ライン及び低周波信号用ラインは、第１面２１ａのみならず、第２面２１ｂに形成されていてもよい。
【００６８】
（2-5）第１実施形態では、配線基板上に配置される要素として、撮像素子４及びクロック源８１を例に挙げたが、配線基板上に配置される素子及び回路は、これに限定されるものではない。また、１の配線基板上に複数の素子及び回路が設けられていてもよい。特に、位置変異を嫌う部品を搭載した配線基板は板金上に固定されることが多いので、本発明を好適に用いることができる。このような部品としては、各種センサ、特に光学センサ、さらには電子写真方式の画像形成装置における描画用のレーザ光源等が挙げられる
（2-6）基板ユニットは、配線ユニットに組み込まれてもよい。配線ユニットは、２以上の基板ユニットと、これらの基板ユニットの高周波信号用ライン同士及びグランド同士をそれぞれ接続する配線とを備える。図４に示す構成は、配線ユニットの構成の一例として、基板ユニット１（１２）及び１３を含み、第１配線及び第２配線の一例であるケーブル９１とを有する。
【００６９】
なお、図４では、基板ユニット１２と１３とで板金は分離しているが、２以上の基板ユニットにおいて、板金は接続されていてもよいし、板金は連続していてもよい。つまり、１の板金上に２つの配線基板が配置されており、この配線基板間が配線で接続されている場合、この板金及び２つの配線基板を、２つの基板ユニットであると考えてもよい。
【００７０】
（2-7）第１実施形態では、基板ユニット１（１２）及びそれに接続される基板ユニット１３の両方において、クロックラインは板金と対向する面とは逆の面に配置され、板金とクロックラインとの間にグランドが配置された構成となっている。つまり、互いに接続された２つの基板ユニットの両方が、上記（2-1）〜（2-4）に述べた構成を備えている。
【００７１】
第１実施形態のように、互いに接続された複数の基板が、全てこのような構成であれば、電磁波放射量の低減効果は高い。ただし、互いに接続された複数の基板のうち、いずれか１つがこのような構成を備えていれば、ループ面積の低減、ひいては電磁波放射量の低減が期待される。
【００７２】
（2-8）図８に、さらに他の実施形態に係る基板ユニット１５を示す。図８に示すように、撮像素子４は、撮像素子搭載基板２上で第１面２１ａ側に設けられていてもよい。この場合、基板固定板金３には撮像素子４が通る程度の大きさの開口３１が設けられる。撮像素子搭載基板２が基板固定板金３上にビス５で固定されると、開口３１に撮像素子４が嵌るので、撮像素子４は外部からの光を受けることができ、撮像が可能となる。
【００７３】
（2-9）本発明の実施の一形態として、第１実施形態ではスキャナ１０４を搭載した複合機１００を挙げたが、本発明は、これ以外の種々の電気機器に適用可能である。
【００７４】
（2-10）以上に挙げた各実施形態をそれぞれ組み合わせて得られる技術も、本発明の実施の形態に含まれる。
【００７５】
〔３〕比較形態
図９に、比較形態に係る基板ユニット５００の断面図を示す。図９に示すように、本比較形態の基板ユニット５００は、撮像素子搭載基板２に代えて、配線基板５０２を備える以外は、第１実施形態の基板ユニット１と同様の構成である。よって、既に説明した部材と同様の機能を有する部材については、同符号を付してその説明を省略することがある。
【００７６】
図９に示すように、配線基板５０２では、コア２１の第１面２１ａにクロックライン２２が配置されている。よって、第２面２１ｂ上にはグランド２３が形成されているものの、第１面２１ａ上のクロックライン２２と基板固定板金３との間には、グランドが形成されておらず、クロックライン２２は基板固定板金３に近接して配置される。それゆえ、クロックライン２２をクロック信号が流れることにより発生するリターン電流が、基板固定板金３内を流れやすい。つまり、本比較形態の基板ユニット５００は、クロックライン２２と基板固定板金３とが、ループアンテナを形成しやすい構成になっている。詳細には、本比較形態では、第１面２１ａ上のクロックライン２２から第２面２１ｂ上のグランド２３までの距離Ｌ５０１と、第１面２１ａ上のクロックライン２２から基板固定板金３までの距離Ｌ５０２とが、Ｌ５０１＞Ｌ５０２となっているので、リターン電流は第２面２１ｂのグランド２３よりも基板固定板金３に流れやすくなっている。
【００７７】
第１実施形態の基板ユニット１に代えて、この基板ユニット５００を複合機に適用した場合に形成されるループアンテナを、図１０に模式的に示す。基板ユニット１２及び１３が基板ユニット５１２及び５１３に置き換えられている以外、本形態の構成は第１実施形態の複合機１００と同様である。よって、図３〜図６等を参照して既に説明した部材と同様の機能を有する部材については、同符号を付してその説明を省略することがある。
【００７８】
基板ユニット５１２は、撮像素子搭載基板２に代えて配線基板５０２を備える以外は、第１実施形態の基板ユニット１２と同様の構成である。
【００７９】
基板ユニット５１３は、クロック生成基板８に代えてクロック生成基板５０８を備える以外は、第１実施形態の基板ユニット１２と同様の構成である。クロック生成基板５０８はクロック源に接続されたクロックラインが、図９に示す配線基板５０２と同様に、側板７に対向する第１面に配置される。
【００８０】
図１０に示すように、クロック信号は、第１実施形態（図６）と同様に、クロック生成基板５０８からケーブル９１を介して配線基板５０２に至る。このとき生じるリターン電流は、上述したように、基板ユニット５００において基板固定板金３を流れるので、図１０に示すように、このリターン電流は、基板固定板金３を流れ、さらに底板６を流れる。
【００８１】
図４を参照して説明したように、隙間Ｇの存在により、底板６と側板７とは互いに直接は触れ合っていない。しかし、底板６及び側板７は、他の板金等の導電部材を介して電気的に接続されている。それゆえ、図１０に示すように、リターン電流は、底板６から、種々の導電部材を経て、側板７に到達する。つまり、基板ユニット５１２及び５１３並びに他の導電部材により、ループアンテナが形成される。図１０に点線で、リターン電流は第１実施形態（図６）と比較して、大きく迂回することになる。こうして形成されたループ電流の流れる経路は、図１０に点線で示す通りである。
【００８２】
図６と図１０とを比較すると明らかなように、比較形態におけるループ面積は、第１実施形態におけるループ面積よりも大きくなる。その結果、放射される電磁波量も大きくなる。
【００８３】
特に、図４を参照して説明したように、ケーブル９１と底板６との距離は一様ではなく、距離Ｌ３のように広い部分がある。そのため、ケーブル９１をクロック信号及びリターン電流が流れる第１実施形態と比較して、さらにループ面積が大きくなる。
【００８４】
また、図１０では底板６及び側板７は、平坦な形状に描かれているが、実際は複合機内の部材の配置に合わせて、曲げられていたり、凹凸を有したり等、複雑な形状となっている。それゆえ、ループ面積は、上述の各実施形態に比べて非常に大きくなる。
【産業上の利用可能性】
【００８５】
本発明の基板ユニットは、スキャナ及びデジタルカメラ等の撮像装置、複合機、その他電気機器に広く用いることができる。
【符号の説明】
【００８６】
１、１２〜１５      基板ユニット
２    撮像素子搭載基板（配線基板の一例）
２１、８１  コア（基板の一例）
２１ａ  第１面
２１ｂ  第２面
２２、８２    クロックライン（高周波信号用ラインの一例）
２３ａ、２３ｂ、８３ａ、８３ｂ  グランド
３    基板固定板金（板金の一例）
４    撮像素子
５    ビス
６    底板（板金の一例）
７    側板（板金の一例）
８    クロック生成基板（配線基板の一例）
９１  ケーブル（第１及び第２配線）
【図１】
2010171251.tif 000003
【図２】
2010171251.tif 000004
【図３】
2010171251.tif 000005
【図４】
2010171251.tif 000006
【図５】
2010171251.tif 000007
【図６】
2010171251.tif 000008
【図７】
2010171251.tif 000009
【図８】
2010171251.tif 000010
【図９】
2010171251.tif 000011
【図１０】
2010171251.tif 000012